(57)【要約】本発明は、コンテンツをナビゲートするグラフィカル・ユーザ・インタフェースに係る。該グラフィカル・ユーザ・インタフェースは、履歴画面を有し、該画面においてナビゲーション履歴データは、過去の選択を表すよう表示れさる。更には、該グラフィカル・ユーザ・インタフェースは、コンテンツ構造の第１のメニューを表示する少なくとも第１の画面と有する。第１のメニューは、１つ又はそれ以上の選択可能な項目を有する。更には、第１のメニューの現在強調表示される項目の第１のサブメニューを表示するよう、少なくとも第１の画面が与えられ得る。履歴画面においてユーザに対してナビゲーション履歴データに関する情報を与えることによって、ユーザは、コンテンツの総一覧、及び、全体的なナビゲーション構造及び／又は現在のナビゲーション工程の総一覧を与えられる。履歴画面においてナビゲーション履歴情報を与えることによって、過去のダイアログボックスは、現在のナビゲーション工程に関するいかなる情報も失うことなく閉じられ得る。
2007518180.tif 000002
【特許請求の範囲】
【請求項１】
コンテンツをナビゲートするグラフィカル・ユーザ・インタフェースであって、
・  ナビゲーション履歴データが表示される履歴画面と、
・  コンテンツ構造の第１のメニューを表示する少なくとも第１の画面と、
を有し、
前記第１のメニューは、１つ又はそれ以上の選択可能な項目を有する、
グラフィカル・ユーザ・インタフェース。
【請求項２】
前記第１のメニューの現在強調表示される項目の第１のサブメニューを表示するよう少なくとも第２の画面を更に有する、
請求項１記載のグラフィカル・ユーザ・インタフェース。
【請求項３】
ナビゲーション履歴データは、前記メニューの項目の選択にあたり前記第１の画面において表示される前記メニューを参照して更新される、
請求項１又は２記載のグラフィカル・ユーザ・インタフェース。
【請求項４】
前記第１の画面における前記第１のメニューは、前記第１の画面における項目の選択にあたり前記第２の画面の前記サブメニューと置き換えられる、
請求項２又は３記載のグラフィカル・ユーザ・インタフェース。
【請求項５】
前記第２の画面における前記サブメニューは、前記第１のサブメニューの現在強調表示される項目のサブメニューと置き換えられる、
請求項４記載のグラフィカル・ユーザ・インタフェース。
【請求項６】
前記ナビゲーション履歴データは、前に選択されたメニューに対する参照を有する、
請求項１乃至５のうちいずれか一項記載のグラフィカル・ユーザ・インタフェース。
【請求項７】
前記ナビゲーション履歴データは、ピクトグラムとして表示される、
請求項１乃至６のうちいずれか一項記載のグラフィカル・ユーザ・インタフェース。
【請求項８】
１つ又はそれ以上の階層画面は、前記ナビゲーション履歴を示す、
請求項１乃至７のうちいずれか一項記載のグラフィカル・ユーザ・インタフェース。
【請求項９】
前記コンテンツ構造は、メインメニュー開始点を有する、
請求項１乃至８のうちいずれか一項記載のグラフィカル・ユーザ・インタフェース。
【請求項１０】
前記ナビゲーション履歴データは、前記メインメニュー開始点から始まるナビゲーション履歴データを有する、
請求項９記載のグラフィカル・ユーザ・インタフェース。
【請求項１１】
前記ナビゲーション履歴データは、複数の選択に対するナビゲーション履歴を有する、
請求項９又は１０記載のグラフィカル・ユーザ・インタフェース。
【請求項１２】
コンピュータプログラムであって、
請求項１乃至１１のうちいずれか一項において定義付けられたグラフィカル・ユーザ・インタフェースとして機能するよう前記コンピュータプログラムを実行する際、プログラム可能な装置を有効にする、
コンピュータプログラム。
【請求項１３】
コンテンツ構造においてデータを有するコンピュータシステムであって、
請求項１乃至１１のうちいずれか一項記載のメニューをベースとするデータのナビゲーションを与えるグラフィカル・ユーザ・インタフェースを、更に有する、
コンピュータシステム。
【請求項１４】
コンテンツをナビゲートする方法であって、
ナビゲーション履歴画面においてナビゲーション履歴データを示す要素を表示すること、
少なくとも第１の画面においてコンテンツ構造の少なくとも第１のメニューを表示することと、
を有し、
前記第１のメニューは、１つ又はそれ以上の選択可能な項目を有する、
方法。
【請求項１５】
前記ナビゲーション履歴データを表す要素は、アクティブな要素である、
請求項１４記載の方法。
【請求項１６】
前記アクティブな要素の選択は、前記ナビゲーションを前記ナビゲーション履歴データにおける前記選択されたデータに戻らせる、
請求項１５記載の方法。
【請求項１７】
コンピュータプログラムであって、
請求項１４乃至１６のうちいずれか一項において定義付けられた方法として機能するよう前記コンピュータプログラムを実行する際、プログラム可能な装置を有効にする、
コンピュータプログラム。
【請求項１８】
順序付きコンテンツのナビゲーションを与えるよう作動可能であるコンピュータシステムであって、
少なくとも第１の画面における構造の少なくとも第１のメニューとナビゲーション履歴画面においてナビゲーション履歴データを表す要素を表示する表示手段を有し、
前記第１のメニューは、１つ又はそれ以上の選択可能な項目を有する、
コンピュータシステム。
【請求項１９】
コンテンツのナビゲーションを与えるよう作動可能であるコンピュータプログラムであって、
ナビゲーション履歴画面においてナビゲーション履歴データを示す要素を表示するよう、及び、少なくとも第１の画面においてコンテンツ構造の少なくとも第１のメニューを表示するよう要素を有し、
前記第１のメニューは、１つ又はそれ以上の選択可能な項目を有する、
コンピュータプログラム。
【発明の詳細な説明】
【技術分野】
【０００１】
本発明は、グラフィカル・ユーザ・インタフェース、及び、グラフィカル・ユーザ・インタフェースを有するコンピュータシステム又はテレビジョンシステムに係る。更には、コンテンツをナビゲートする方法が与えられる。
【背景技術】
【０００２】
典型的には、ユーザは、コンテンツをナビゲートする際、ナビゲーションのフローに関する情報を必要とする。即ち、ユーザは、自分がどの範囲をナビゲートしているのか、どのステップが踏まれるべきか、見込まれる次のステップは何か、及び、次のステップ上の一定のステップはどのような結果であるか、を知る必要がある。
【０００３】
多くのシステムにおいては、ナビゲーションの履歴、即ちどのステップが踏まれてきているかが重視される。故に、典型的には、例えばＷｉｎｄｏｗｓ（登録商標）スタートメニューにおいて見られる通り、全てのナビゲーション履歴は残され、画面空間を占める。この表示手法は、殆どの場合、ナビゲーションの総一覧をユーザに与える代わりにビジュアル・クラッタをもたらす。ナビゲーション履歴が提示されたままであるため、多くの場合において、ユーザは、現在のステップが（半分）完了されるとナビゲーションにおける次のステップに関する情報を得る。
【発明の開示】
【発明が解決しようとする課題】
【０００４】
本発明は、コンテンツの単純なナビゲーションを可能にするグラフィカル・ユーザ・インタフェースを与えることを目的とする。
【課題を解決するための手段】
【０００５】
本発明の１つの面によれば、上述された目的及び他の目的は、コンテンツをナビゲートするようグラフィカル・ユーザ・インタフェースを与えることによって達成される。該グラフィカル・ユーザ・インタフェースは、ナビゲーション履歴データが表示される履歴画面、及び、コンテンツ構造の第１のメニューを表示する少なくとも第１の画面を有し、該第１のメニューは、１つ又はそれ以上の選択可能な項目を有する。
【０００６】
該グラフィカル・ユーザ・インタフェースは、第１のメニューの現在強調表示される項目の第１のサブメニューを表示するよう少なくとも第２の画面を更に有し得る。
【０００７】
履歴画面においてユーザに対してナビゲーション履歴データに関する情報を与える利点は、ユーザがコンテンツの総一覧、及び全体的ナビゲーション構造及び／又は現在のナビゲーション工程の総一覧を与えられる、ことである。履歴画面においてナビゲーション履歴情報を与えることによって、過去のダイアログボックスは、現在のナビゲーション工程に関していかなる情報も損失することなく閉じられ得る。故に、履歴画面は、過去の選択を示すよう、ナビゲーション履歴データを表示し得る。
【０００８】
コンテンツは、いかなる手法においても構成され得、ウェブページ、階層的に順序化されたコンテンツ等であり得る。望ましくは、コンテンツは、順序化され、１つの画面における選択がそこから先に見込まれるものを確定するようにする。コンテンツを介するより多くのルートは同一の画面に繋がり得ることが予測され、以前のメニューにおける異なる選択が、後のメニューにおいて同一の画面に繋がり得る。
【０００９】
コンテンツ構造のメニューは、画面において表示されるいかなるコンテンツでもあり得、故にコンテナ（ｃｏｎｔａｉｎｅｒ）又は項目のリスト等のいかなるメニューでも有り得る。
【００１０】
履歴画面は、ナビゲーション工程のより深い理解をユーザに対して与え、ビジュアル・クラッタ及び／又は情報過多は、避けられ得る。
【００１１】
望ましい一実施例では、グラフィカル・ユーザ・インタフェースは、家庭用電化（ＣＥ）機器上のコンテンツにおいてナビゲートするよう、並びに、特にはＣＥ機器上の娯楽コンテンツにアクセスするよう使用される。ＣＥ機器は、いかなる家庭用電化機器でも有り得、例えば、携帯用ＰＣ、ポケット型ＰＣ、手のひらサイズのＰＣ、ＰＤＡ（携帯情報端末）、Ｐａｌｍ  Ｐｉｌｏｔ（登録商標）等のワイヤレス機器である。
【００１２】
他の望ましい実施例では、グラフィカル・ユーザ・インタフェースは、テレビジョン用ナビゲーションに対して、及び／又は、マルチメディア・コンテンツにおけるブラウジングに対して使用される。
【００１３】
ナビゲーションは、双方向性ナビゲーションであり得、特定の選択がこの選択がなされた前には使用可能ではなかった複数の可能性を与えるようにする。
【００１４】
グラフィカル・ユーザ・インタフェースは、コンテンツ構造の第１のメニューを表示する少なくとも第１の画面を有し、第１のメニューは、１つ又はそれ以上の選択可能な項目を有する。望ましくは、グラフィカル・ユーザ・インタフェースはまた、第１のメニューのサブメニューを示すよう少なくとも第２の画面を有する。選択がなされる前に選択の結果をユーザが知るよう、ナビゲーション・パスにおいて次のステップを示すことは有利である。
【００１５】
望ましくは、ナビゲーション履歴データは、メニューの項目の選択の際に第１の画面において表示されたメニューを参照して更新される。これによって、ナビゲーション履歴データ画面は、即座に更新され、ナビゲーション履歴は、履歴画面において示される。
【００１６】
更には、第１の画面における第１のメニューは、第１の画面における項目の選択の際に第２の画面において以前示されたサブメニューと置き換えられ得る。第２の画面におけるサブメニューは、続いて、第１のサブメニューの現在強調表示される項目のサブ・サブメニューと置き換えられ得る。このようにして、複雑なメニューのナビゲーションは、２つの静的画面、即ち、コンテンツがシフトされているが画面は画面上に残る画面を用いて視覚化され得る。これは、単純な２つの画面のナビゲーションの一覧を可能にする。
【００１７】
また、２つより多い画面が与えられ得ることは予想され得、例えば３つ、４つ、５つ、６つ、７つ、又は８つの画面が与えられ得る。画面の数は、ユーザがブラウズするコンテンツ及びユーザが見たい詳細の量に依存して選択され得る。望ましい一実施例では、ユーザは、グラフィカル・ユーザ・インタフェースの画面の数を選択することができ得る。望ましくは、ユーザは、特定のナビゲーションセクション又は工程に対する標準的又は世界的な設定のいずれをも選択し得る。
【００１８】
ナビゲーション履歴データは、以前の選択のレファレンスを示す要素を有し得る。故に、ナビゲーション履歴データは、全ての以前の選択を有し得るか、あるいは、ナビゲーション履歴データは、履歴の選択のうち複数のみを示し得る。示されたナビゲーション履歴データは、異なる基準に従って示され得る。故に、例えば前回の選択の数が示され得、その数は、いかなる整数でも有り得るため、例えば少なくとも２，３，５又は１０の前回の選択は、ナビゲーション履歴画面に示され得る。追加的に又は代わりに、例えばメインメニューの選択又は特定のアクション等の特定の選択のみは、示される。
【００１９】
コンテンツ構造は、メインメニューの開始点を有し得る。ナビゲーション履歴データは続いて、メインメニューの開始点から始まるナビゲーション履歴データを有し得る。
【００２０】
故に、ナビゲーション履歴データは、リスト、フォルダ、並びに、ユーザが記憶装置、コンテンツの種類、ナビゲーション方法上で行った選択及び関連付けられた選択を有し得る。ナビゲーション履歴画面の要素は、同一又は異なる種類であり得る。例えば、特定の言語の選択、タイムゾーンの選択、記憶装置の選択、及びコンテンツの種類等は、ナビゲーション履歴画面において示され得るか、図解され得る。ユーザは、一定の要素の選択に対して選択要素を有し得る。例えば、選択を実行するためのマウス操作又はキーストロークである。
【００２１】
ナビゲーション履歴データは、グラフィカルベース又はテキストベースの手段によって、又はグラフィカルベース及びテキストベースの手段の組合せによって表され得る。故にナビゲーション履歴データは、短いテキスト表示、ピクトグラム、専用ボタン、アイコン等によって表され得る。更には、１つ又はそれ以上の階層画面は、ナビゲーション履歴を示す。望ましくは、１つ又はそれ以上の階層画面がナビゲーション履歴画面に関連付けられるため、ナビゲーション履歴データを示すナビゲーション履歴画面における各要素又はレファレンスに対して、薄い（ｔｈｉｎ）画面は、例えば第１の画面の側部に沿って又は他の適切な場所に与えられ得る。より多くの要素又はレファレンスがナビゲーション履歴画面において与えられる際、これらの薄い画面は階層化され得る。
【００２２】
ナビゲーション履歴画面は、アクティブ画面であり得、例えばコンテンツにおいてナビゲートしているユーザは、ナビゲーション履歴における以前の位置に戻るようナビゲーション履歴画面の要素を使用し得る。例えば、ナビゲーション履歴画面における特定のレファレンス又は要素を選択することによって、あるいは、階層画面の特定の１つを選択することによって、ユーザは、ナビゲーション履歴における以前の位置に戻り得る。続いて、ナビゲーション履歴におけるこの以前の位置の後になされた選択は、キャンセルされ得る。あるいは、該なされた選択は保持され得る。
【００２３】
コンピュータプログラムプロダクトが与えられ得る。該コンピュータプログラムプロダクトは、上述された通りのグラフィカル・ユーザ・インタフェースとして機能するよう前出のコンピュータプログラムプロダクトを実行する際、プログラム可能な装置を有効にする。
【００２４】
本発明の他の面によれば、コンピュータシステムが与えられる。該コンピュータシステムは、コンテンツ構造においてデータを有し、該システムは更に、データをナビゲートするよう上述されたグラフィカル・ユーザ・インタフェースを有する。
【００２５】
本発明の他の面によれば、コンテンツのナビゲーションを与えるよう作動するコンピュータシステムが与えられる。該コンピュータシステムは、ナビゲーション履歴画面においてナビゲーション履歴データを示す要素、及び少なくとも第１の画面において構造の少なくとも第１のメニューを表示する手段を有する。該第１のメニューは、１つ又はそれ以上の選択可能な項目を有する。
【００２６】
更には、コンテンツのナビゲーションを与えるよう作動可能であるコンピュータプログラムが与えられる。該コンピュータプログラムは、ナビゲーション履歴画面においてナビゲーション履歴データを示す要素を表示するよう、及び、少なくとも第１の画面においてコンテンツ構造の少なくとも第１のメニューを表示するよう要素を有する。該第１のメニューは１つ又はそれ以上の選択可能な項目を有する。
【００２７】
「コンピュータプログラム」は、フレキシブルディスク等のコンピュータ可読の媒体上に格納されたソフトウェア製品、インタネット等のネットワークを介してダウンロード可能であるソフトウェア製品、又は他の手法で売買可能であるソフトウェア製品を意味するよう理解されるべきである。
【００２８】
本発明の更なる面によれば、コンテンツのナビゲートする方法が与えられる。該方法は、ナビゲーション履歴画面においてナビゲーション履歴データを示す要素を表示すること、及び、少なくとも第１の画面においてコンテンツ構造の少なくとも第１のメニューを表示することを有する。該第１のメニューは、１つ又はそれ以上の選択可能な項目を有する。
【００２９】
ナビゲーション履歴データを示す要素は、アクティブ要素であり得、例えばかかるアクティブ要素の選択は、ナビゲーションを選択されたデータ又はナビゲーション履歴データにおける選択された位置に戻らせ得る。
【００３０】
コンピュータプログラムプロダクトは、既に定義付けられた方法として機能するよう前出のコンピュータプログラムプロダクトを実行する際、プログラム可能な装置を有効にし得る。
【発明を実施するための最良の形態】
【００３１】
図１中、本発明に従ったグラフィカル・ユーザ・インタフェースが図示される。ナビゲーション履歴画面１は、ウィンドウのトップに与えられ、可能な選択肢を有する第１の画面２が示される。選択肢は、「全て見る（Show  All）」、「フィルタをかける（Filter  By）」、「テキスト検索（Text  Search）」、「再生リスト作成（Create  Playlist）」、「再生リスト（Plyalists）」という可能性を有する。選択肢「全て見る」は、事前に選択される。また、第２の画面３は与えられ、次のステップがアルバムをブラウズすることであることが判る。第２の画面３は、「全て見る」のフォルダの可能な選択肢を有する。全て写真を有するアルバム「エドワード（Edward）」、「車（Cars）」、「アクセント（Accent）」、「フォードＫａ（Ford  Ka）」、及び「マーベラ（Marbella）」が、示される。ウィンドウの上方左側角におけるナビゲーション履歴画面１から、例えば全ての記憶装置である「全て（All）」が選択されていること、及び、コンテンツの種類「写真（Photo）」も前のステップにおいて選択されていること、が判る。また、ナビゲーション履歴画面において、ナビゲーション履歴画面におけるコンテンツの上方左側の表示に見られる通り、コンテンツの種類「写真」のうち使用可能である全２８のアルバムがあることが判る。
【００３２】
図２は、図１のグラフィカル・ユーザ・インタフェースを図示する。選択肢「フィルタをかける」は、第１の画面２において示される通り現在選択され、次のステップは、特定のフィルタの選択である。またここでは、「全て」の記憶装置及び写真であるコンテンツの種類は、既にナビゲーション履歴画面１において見られる通り選択されている。ナビゲーション履歴画面における選択の表示は、全てテキスト表示である。選択される可能性のあるフィルタは、第２の画面３において与えられ、「オブジェクト（Object）」、「人物／ペット（Person/Pet）」、「場所（Location）」、「出来事（Occasion）」、「アルバム／再生リスト（Album/Playlist）」、及び「日付（Date）」であり得る。
【００３３】
同一の画面に対して、１つより多いルートがあり得、特定の項目に到達するようコンテンツを介するより多くのルートが使用され得る。例えば休暇の写真である項目ｘに到達するには、写真→全て見る→アルバム→項目ｘを介したルートが選ばれ得る。項目ｘに対する他のルートは、写真→フィルタ→出来事→休暇→アルバム→項目ｘであり得る。故に、２つ又はそれ以上の代替のルートは、同一の結果に繋がり得る。
【００３４】
図３は、本発明に従ったグラフィカル・ユーザ・インタフェースの他の実施例を示す。この実施例においては、ナビゲーション履歴画面５における要素又はレファレンスは、テキスト表示とグラフィカル表示との組合せである。更には、各要素は、特定のタブ６を備えられ、図示された例においては記憶装置「ＨＤＤ」が選択され、また、「音楽（music）」及び「全てのアルバム（all  albums）」が前に選択されている。更には、各要素に関連付けられる階層画面７は、ウィンドウの左側側部に沿って見られる。８７６のアルバム全てが使用可能であることが判る。
【００３５】
第１の画面９において見ることができるアルバムは、Stingの「Ten  Summons」、「Soul  Cages」、「Soul  II  Soul」、Bruce  Springsteenの「Born  in  the  USA」、及びYesの「Fragile」である。ABBAのアルバム「Arrival」が前に選択され、このアルバムのコンテンツは第２の画面１０において示され、「When  I  kissed」、「Dancing  Queen」、「My  Love..」、「Dum  Dum  Did」、「Knowing  Me..」、「Money  Money...」、「That's  Me」、「Why  did  it  happen」、「Tiger」、及び「Arrival」である、ことが判る。更には、該アルバムは、アイコン１１によってアルファベット順に並べ替えられ、アルバムの更なるページは、スクロールバー１２を使用することによって見られ得る、ことが判る。
【００３６】
図４中に見られる通り、前に選択された項目は、ABBAの「Arrival」だったことが判る。
【図面の簡単な説明】
【００３７】
【図１】コンテンツにおけるナビゲーションに対するグラフィカル・ユーザ・インタフェースの一例を図示する。
【図２】グラフィカル・ユーザ・インタフェースの他の例を図示する。
【図３】階層画面を有する他のグラフィカル・ユーザ・インタフェースを図示する。
【図４】階層画面を有するグラフィカル・ユーザ・インタフェースを図示する。
【図１】
2007518180.tif 000003
【図２】
2007518180.tif 000004
【図３】
2007518180.tif 000005
【図４】
2007518180.tif 000006
【国際調査報告】
2007518180.tif 000007
2007518180.tif 000008
2007518180.tif 000009